(57)【要約】      （修正有）【課題】大面積の折襞のない平面部を利用して、通気性、図柄の完全性を高めると同時に、延伸性と被覆性を兼ね備えた、マスクを提供する。【解決手段】平面部１と、平面部の上端部を折り曲げて形成された第１上折り畳み部２１と、第１上折り畳み部の一側を延伸して形成された第１上延伸部２２と、第１上延伸部の端部を折り曲げて形成された第２上折り畳み部２３と、第２上折り畳み部の一側を延伸して形成された第２上延伸部２４と、平面部の下端部に相対して形成された第１下折り畳み部３１と、第１下延伸部３２と、第２下折り畳み部３３と、第２下延伸部３４を含み、該平面部の幅Ａ、該第２上延伸部の幅、該第２下延伸部の幅が、それぞれマスク全体幅の４２％〜６４％、４２％〜４８％、３１％〜３９％であり、かつ該平面部の中心位置がマスク全体に対して下へずれた状態であり、ずれ幅がマスク全体幅の２％〜１０％である。【選択図】図２
0003234784.tif 000002
【実用新案登録請求の範囲】
【請求項１】
マスクであって、平面部と、第１上折り畳み部と、第１上延伸部と、第２上折り畳み部と、第２上延伸部と、第１下折り畳み部と、第１下延伸部と、第２下折り畳み部と、第２下延伸部と、を含み、
前記平面部の幅が平面幅と定義され、前記平面部の中央に平面中心線が定義され、
前記第１上折り畳み部が、前記平面部の上端部を折り曲げて形成され、
前記第１上延伸部が、前記第１上折り畳み部の一側を延伸して形成され、
前記第２上折り畳み部が、前記第１上延伸部の端部を折り曲げて形成され、
前記第２上延伸部が、前記第２上折り畳み部の一側を延伸して形成され、かつ前  記第２上延伸部の幅が上折り畳み幅と定義され、
前記第１下折り畳み部が、前記平面部の下端部を折り曲げて形成され、
前記第１下延伸部が、前記第１下折り畳み部の一側を延伸して形成され、
前記第２下折り畳み部が、前記第１下延伸部の端部を折り曲げて形成され、
前記第２下延伸部が、前記第２下折り畳み部の一側を延伸して形成され、前記第２下延伸部の幅が下折り畳み幅と定義され、かつ前記第２上延伸部と前記第２下延伸部の最も遠い距離がマスク全体幅と定義され、前記マスク全体幅の中央にマスク中心線が定義され、前記平面中心線と前記マスク中心線の距離の長さがずれ幅と定義され、
そのうち、前記マスク全体幅に対する前記平面幅の百分率範囲が４２％〜６４％であり、前記マスク全体幅に対する前記上折り畳み幅の百分率範囲が４２％〜４８％であり、前記マスク全体幅に対する前記下折り畳み幅の百分率範囲が３１％〜３９％であり、前記平面中心線の位置が前記マスク中心線より低く、かつ前記マスク全体幅に対する前記ずれ幅の百分率範囲が２％〜１０％である、ことを特徴とする、マスク。
【請求項２】
前記第２上折り畳み部と前記第２下折り畳み部間に間隔区間が形成され、かつ前記マスク全体幅に対する前記間隔区間の幅の百分率範囲が１５％〜２７％である、ことを特徴とする、請求項１に記載のマスク。
【請求項３】
前記マスク全体幅に対する前記間隔区間の幅の百分率範囲が好ましくは１９％〜２１％である、ことを特徴とする、請求項２に記載のマスク。
【請求項４】
前記マスク全体幅に対する前記平面幅の百分率範囲が好ましくは５２％〜６４％である、ことを特徴とする、請求項１に記載のマスク。
【請求項５】
前記マスク全体幅に対する前記平面幅の百分率範囲が好ましくは６２％〜６４％である、ことを特徴とする、請求項４に記載のマスク。
【請求項６】
前記マスク全体幅に対する前記上折り畳み幅の百分率範囲が４２％〜４３％であり、かつ前記マスク全体幅に対する前記下折り畳み幅の百分率範囲が３６％〜３７％である、ことを特徴とする、請求項１に記載のマスク。
【請求項７】
前記マスク全体幅に対する前記上折り畳み幅の百分率範囲が４７％〜４８％であり、かつ前記マスク全体幅に対する前記下折り畳み幅の百分率範囲が３１％〜３２％である、ことを特徴とする、請求項１に記載のマスク。
【請求項８】
前記マスク全体幅に対する前記上折り畳み幅の百分率範囲が４５％〜４６％であり、かつ前記マスク全体幅に対する前記下折り畳み幅の百分率範囲が３８％〜３９％である、ことを特徴とする、請求項１に記載のマスク。
【請求項９】
前記第２上延伸部の前記第２上折り畳み部と反対側の一端が外側に向かって折り返されて鼻線端部が形成された、ことを特徴とする、請求項１に記載のマスク。
【請求項１０】
前記第２下延伸部の前記第２下折り畳み部と反対側の一端が外側に向かって折り返されて端処理部が形成された、ことを特徴とする、請求項１に記載のマスク。
【考案の詳細な説明】
【技術分野】
【０００１】
本考案はマスクに関し、特に、より高い通気性、延伸性、被覆性、図柄の完全性を備えた、マスクに関する。
【背景技術】
【０００２】
従来のマスクはほとんどが平面状態から展開して使用するようになっているが、使用者が展開して使用するとき、立体感があまりないため、使用者の口と鼻に密着する。また、会話中に唾液がマスクに付着しやすく、口と鼻に過度に密着して呼吸しにくくなることもある。このような問題を軽減するために、マスク上に複数の折り目を設けたり、立体マスクが生み出されたりしているが、立体マスクは販売価格が比較的高いため、多くの使用者が平面マスクの使用を選択している。
【０００３】
平面マスクは折り目の数が多いため、表面に図柄を印刷すると段差ができたり、折り畳んで収納した後に一部の図柄が遮蔽されたり、延伸して展開した後図柄が分裂してしまったりすることがあり、印刷時の図柄の完全性を保つことができない。着用時に平面マスクの折り目が完全に展開されていないと、本来通気性の良い素材であっても、不適切な重なりができ、その通気性に重大な影響が生じる。
【０００４】
折り目が多い設計は本来、平面マスクを展開した後に顔の形にフィットするようにするためであるが、マスクの装着後、マスクがフィットしすぎて呼吸しにくくなったり、マスクが効果的にフィットせず、保護性能に影響が出たりする問題が生じることがよくある。通気性のために口と鼻前方に一定の空間を保つように意図的に調整することができるが、マスクの折り方によっては調整が難しく、また調整動作によって手についた細菌がマスク上に付着してしまう可能性がある。
【０００５】
また、平面マスクの中には、内側に折り目を隠すように設計されているものもあり、これにより図柄の問題は解決されるが、両側を融着した後に折り目が展開しにくくなり、両側と顔の密着度が低下してしまう。
【考案の概要】
【考案が解決しようとする課題】
【０００６】
本考案の主な目的は、平面部の面積を拡大し、折り目の数を減少して、図柄を完全に表示することができ、かつ第２上延伸部と第２下延伸部の割合の設計、及び平面部の中心位置を下にずらせた設計を利用し、マスク全体の通気性を大幅に高め、同時に装着時の被覆性と快適性を兼ね備えた、マスクを提供することにある。
【課題を解決するための手段】
【０００７】
以下この考案について説明する。請求項１に記載するマスクは、主に、平面部と、第１上折り畳み部と、第１上延伸部と、第２上折り畳み部と、第２上延伸部と、第１下折り畳み部と、第１下延伸部と、第２下折り畳み部と、第２下延伸部と、を含み、
前記平面部の幅が平面幅と定義され、前記平面部の中央に平面中心線が定義され、
前記第１上折り畳み部が、前記平面部の上端部を折り曲げて形成され、
前記第１上延伸部が、前記第１上折り畳み部の一側を延伸して形成され、
前記第２上折り畳み部が、前記第１上延伸部の端部を折り曲げて形成され、
前記第２上延伸部が、前記第２上折り畳み部の一側を延伸して形成され、かつ前  記第２上延伸部の幅が上折り畳み幅と定義され、
前記第１下折り畳み部が、前記平面部の下端部を折り曲げて形成され、
前記第１下延伸部が、前記第１下折り畳み部の一側を延伸して形成され、
前記第２下折り畳み部が、前記第１下延伸部の端部を折り曲げて形成され、
前記第２下延伸部が、前記第２下折り畳み部の一側を延伸して形成され、前記第２下延伸部の幅が下折り畳み幅と定義され、かつ前記第２上延伸部と前記第２下延伸部の最も遠い距離がマスク全体幅と定義され、前記マスク全体幅の中央にマスク中心線が定義され、前記平面中心線と前記マスク中心線の距離の長さがずれ幅と定義され、
そのうち、前記マスク全体幅に対する前記平面幅の百分率範囲が４２％〜６４％であり、前記マスク全体幅に対する前記上折り畳み幅の百分率範囲が４２％〜４８％であり、前記マスク全体幅に対する前記下折り畳み幅の百分率範囲が３１％〜３９％であり、前記平面中心線の位置が前記マスク中心線より低く、かつ前記マスク全体幅に対する前記ずれ幅の百分率範囲が２％〜１０％である。
【０００８】
請求項２に記載するマスクは、請求項１における第２上折り畳み部と前記第２下折り畳み部間に間隔区間が形成され、かつ前記マスク全体幅に対する前記間隔区間の幅の百分率範囲が１５％〜２７％である。
【０００９】
請求項３に記載するマスクは、請求項２におけるマスク全体幅に対する前記間隔区間の幅の百分率範囲が好ましくは１９％〜２１％である。
【００１０】
請求項４に記載するマスクは、請求項１におけるマスク全体幅に対する前記平面幅の百分率範囲が好ましくは５２％〜６４％である。
【００１１】
請求項５に記載するマスクは、請求項４におけるマスク全体幅に対する前記平面幅の百分率範囲が好ましくは６２％〜６４％である。
【００１２】
請求項６に記載するマスクは、請求項１におけるマスク全体幅に対する前記上折り畳み幅の百分率範囲が４２％〜４３％であり、かつ前記マスク全体幅に対する前記下折り畳み幅の百分率範囲が３６％〜３７％である。
【００１３】
請求項７に記載するマスクは、請求項１におけるマスク全体幅に対する前記上折り畳み幅の百分率範囲が４７％〜４８％であり、かつ前記マスク全体幅に対する前記下折り畳み幅の百分率範囲が３１％〜３２％である。
【００１４】
請求項８に記載するマスクは、請求項１におけるマスク全体幅に対する前記上折り畳み幅の百分率範囲が４５％〜４６％であり、かつ前記マスク全体幅に対する前記下折り畳み幅の百分率範囲が３８％〜３９％である。
【００１５】
請求項９に記載するマスクは、請求項１における第２上延伸部の前記第２上折り畳み部と反対側の一端が外側に向かって折り返されて鼻線端部が形成される。
【００１６】
請求項１０に記載するマスクは、請求項１における第２下延伸部の前記第２下折り畳み部と反対側の一端が外側に向かって折り返されて端処理部が形成される。
【考案の効果】
【００１７】
上述の設計により、平面部の面積を大幅に増加し、印刷された図柄をより完全かつより美しく表示することができ、また平面部内側に折り畳み部分と折り目がないため、通気性を促進することができ、さらに平面中心線がマスク中心線より低いため、マスク装着後上下に引っ張る動作で、平面部をより容易に口と鼻の位置に正対させることができ、呼吸の円滑性が高められる。また第２上延伸部と第２下延伸部の幅の違いにより、上が広く下が狭い非対称なマスクの設計となり、より広い上折り畳み幅によって平面部を口と鼻に正対させやすくなり、より狭い下折り畳み幅は引っ張った後顎を完全に被覆することができ、展開しやすいだけでなく、被覆性と快適性も兼ね備えている。
【００１８】
上述の技術により、従来の平面マスクに存在する折り目の数が多いことにより平面の面積が小さくなり、図柄を完全に表示しにくく、また通気性が低下し、被覆性が不完全になる等の問題点を打破し、上述の利点を備えた実用的進歩性を達成することができる。
【図面の簡単な説明】
【００１９】
【図１】本考案の最良の実施例の立体図である。
【図２】本考案の最良の実施例の図１のＡ-Ａ線での断面図である。
【図３】本考案の最良の実施例の偏心を示す断面図である。
【図４】本考案の最良の実施例の装着した状態を示す概略図１である。
【図５】本考案の最良の実施例の装着した状態を示す概略図２である。
【図６】本考案の別の最良の実施例の断面図である。
【図７】本考案のさらに別の最良の実施例の断面図である。
【図８】本考案のまた別の最良の実施例の断面図である。
【考案を実施するための形態】
【実施例１】
【００２０】
図１から図３の本考案の最良の実施例の立体図から偏心を示す断面図までを参照する。これらの図からはっきりと分かるように、本考案は、平面部１と、第１上折り畳み部２１と、第１上延伸部２２と、第２上折り畳み部２３と、第２上延伸部２４と、第１下折り畳み部３１と、第１下延伸部３２と、第２下折り畳み部３３と、第２下延伸部３４と、を含み、
該平面部１の幅が平面幅Ａと定義され、かつ該平面部１の中央に平面中心線１１が定義され、
該第１上折り畳み部２１が、該平面部１の上端部を折り曲げて形成され、
該第１上延伸部２２が、該第１上折り畳み部２１の一側を延伸して形成され、
該第２上折り畳み部２３が、該第１上延伸部２２の端部を折り曲げて形成され、
該第２上延伸部２４が、該第２上折り畳み部２３の一側を延伸して形成され、かつ該第２上延伸部２４の幅が上折り畳み幅Ｂと定義され、
該第１下折り畳み部３１が、該平面部１の下端部を折り曲げて形成され、
該第１下延伸部３２が、該第１下折り畳み部３１の一側を延伸して形成され、
該第２下折り畳み部３３が、該第１下延伸部３２の端部を折り曲げて形成され、
該第２下延伸部３４が、該第２下折り畳み部３３の一側を延伸して形成され、該第２下延伸部３４の幅が下折り畳み幅Ｃと定義され、かつ該第２上延伸部２４と該第２下延伸部３４の最も遠い距離がマスク全体幅Ｔと定義され、該マスク全体幅Ｔの中央にマスク中心線Ｌが定義され、該平面中心線１１と該マスク中心線Ｌの距離の長さがずれ幅Ｄと定義され、
そのうち、該マスク全体幅Ｔに対する該平面幅Ａの百分率範囲が４２％〜６４％であり、該マスク全体幅Ｔに対する該上折り畳み幅Ｂの百分率範囲が４２％〜４８％であり、該マスク全体幅Ｔに対する該下折り畳み幅Ｃの百分率範囲が３１％〜３９％であり、該平面中心線１１の位置が該マスク中心線Ｌより低く、かつ該マスク全体幅Ｔに対する該ずれ幅Ｄの百分率範囲が２％〜１０％である。
【００２１】
上述の説明から、本技術の構造を理解することができるであろう。この構造の組み合わせにより、より高い通気性、延伸性、被覆性、図柄の完全性等の優位性を得ることができ、以下でより詳細に説明する。
【００２２】
図１から図５の本考案の最良の実施例の立体図から装着した状態を示す概略図２までを同時に参照する。上述の構造部材で構成したとき、図からはっきりと分かるように、本考案のマスクは、上から下へ、第２上延伸部２４、第２上折り畳み部２３、第１上延伸部２２、第１上折り畳み部２１、平面部１、第１下折り畳み部３１、第１下延伸部３２、第２下折り畳み部３３、第２下延伸部３４まで一体成型で折り畳んで構成されており、かつマスク自体は単層または多層材質の平面マスクとすることができるため、具体的には、第２上折り畳み部２３、第１上折り畳み部２１、第１下折り畳み部３１、第２下折り畳み部３３の箇所に折り目があり、かつ平面部１の平面幅Ａがマスク全体幅Ｔの４２％〜６４％となっており、即ち上下両端の融着部分を除き、正面部分はほぼすべてが平面部１であるため、マスク正面の面積を最大限に利用している。これにより、平面部１上に組み合わせた図形、ロゴ、広告内容等の図柄１２が、折り畳まれた箇所の影響を完全に受けず、図柄１２の完全性と視覚的美観が大幅に向上され、かつ折り畳んだ後実際には平面部１と第２上延伸部２４（または第２下延伸部３４）の２層があるのみと見なせるため、左右両側を融着して固定した後、展開動作が融着効果による規制をほぼ受けず、簡単に第１上延伸部２２及び第２上延伸部２４（または第１下延伸部３２及び第２下延伸部３４）を開くことができ、かつ第１上延伸部２２、第２上延伸部２４、第１下延伸部３２、第２下延伸部３４を利用して平面部１を支持し、平面部１との間に比較的大きい呼吸空間４を形成して、呼吸の円滑性を高めることができる。
【００２３】
さらに、口と鼻の位置関係により、鼻呼吸または口呼吸を問わず、通気性が最も必要な位置はマスクのやや下の位置となるため、マスク全体幅Ｔに対する第２上延伸部２４の上折り畳み幅Ｂの百分率範囲を４２％〜４８％とし、マスク全体幅Ｔに対する第２下延伸部３４の下折り畳み幅Ｃの百分率範囲を３１％〜３９％に設計し、上折り畳み幅Ｂを下折り畳み幅Ｃより大きくして、上下幅が非対称の設計とすることで、第１上延伸部２２及び第２上延伸部２４を引っ張り展開した後、平面部１を口と鼻の呼吸位置により正対させ、第１下延伸部３２及び第２下延伸部３４を引っ張り展開した後、顎を適切に被覆し、確実に密着させることができ、また快適性にも影響しない。同時に平面部１の位置配置をマスク全体に対してやや下にする設計を組み合わせ、より確実にマスク展開後の平面部１が口と鼻の呼吸位置に直接正対するようにすることができる。具体的には、平面部１の平面中心線１１がマスク全体幅Ｔのマスク中心線Ｌより低く、かつマスク全体幅Ｔに対する該ずれ幅Ｄの百分率範囲が２％〜１０％となる。つまり、マスクの最上端（第２上延伸部２４の端部）から平面中心線１１までの長さのマスク全体幅Ｔに対する百分率範囲は５２％〜６０％となり、かつ口と鼻の位置に対応する平面部１に折り畳みの襞がないため、マスクの通気性を最大限に発揮させることができる。
【実施例２】
【００２４】
図６に本考案の本考案の別の最良の実施例の断面図を示す。図からはっきりと分かるように、本実施例は上述の実施例とほぼ同じであるが、該第２上延伸部２４ａの該第２上折り畳み部２３ａと反対側の一端が外側に向かって折り返されて鼻線端部２４１ａが形成され、該第２下延伸部３４ａの該第２下折り畳み部３３ａと反対側の一端が外側に向かって折り返されて端処理部３４１ａが形成され、該第２上折り畳み部２３ａと該第２下折り畳み部３３ａ間に間隔区間１３ａが形成されており、そのうち、鼻線端部２４１ａ及び端処理部３４１ａがそれぞれマスクの上下両端の折り返し端処理構造となり、マスク辺縁のバリや脱線を回避するとともに、美観を高めることができ、鼻線端部２４１ａか所の折り返しは同時にノーズフィットを内部に隠すことができる。該マスク全体幅Ｔに対する間隔区間１３ａの幅の百分率範囲は１５％〜２７％であるため、間隔区間１３ａの幅は平面幅Ａの約２０％〜４０％となり、これによりマスクを引っ張り伸ばす動作をより楽に行うことができる。このほか、本実施例において、マスク全体幅Ｔに対する平面幅Ａの百分率範囲は６２％〜６４％、マスク全体幅Ｔに対する上折り畳み幅Ｂの百分率範囲は４２％〜４３％、かつマスク全体幅Ｔに対する下折り畳み幅Ｃの百分率範囲は３６％〜３７％がより好ましい。
【実施例３】
【００２５】
また、同時に図７の本考案のさらに別の最良の実施例の断面図を参照する。この図からはっきりと分かるように、本実施例は上述の実施例とほぼ同じであるが、マスク全体幅Ｔに対する該間隔区間１３ｂの幅の百分率範囲を１９％〜２１％に調整し、マスク全体幅Ｔに対する上折り畳み幅Ｂの百分率範囲を４７％〜４８％に調整し、かつマスク全体幅Ｔに対する下折り畳み幅Ｃの百分率範囲を３１％〜３２％に調整することが好ましく、これは本考案の寸法の多様な変化を説明するものである。
【実施例４】
【００２６】
また、同時に図８の本考案のまた別の最良の実施例の断面図を参照する。この図からはっきりと分かるように、本実施例は上述の実施例とほぼ同じであるが、マスク全体幅Ｔに対する該平面幅Ａの百分率範囲を５２％〜６４％に調整し、マスク全体幅Ｔに対する上折り畳み幅Ｂの百分率範囲を４５％〜４６％に調整し、かつマスク全体幅Ｔに対する下折り畳み幅Ｃの百分率範囲を３８％〜３９％に調整することが好ましく、これは本考案の寸法の多様な変化を説明するものである。
【符号の説明】
【００２７】
１    平面部
１１    平面中心線
１２    図柄
１３ａ、１３ｂ    間隔区間
２１    第１上折り畳み部
２２    第１上延伸部
２３、２３ａ    第２上折り畳み部
２４、２４ａ    第２上延伸部
２４１ａ    鼻線端部
３１    第１下折り畳み部
３２    第１下延伸部
３３、３３ａ    第２下折り畳み部
３４、３４ａ    第２下延伸部
３４１ａ    端処理部
４    呼吸空間
Ａ    平面幅
Ｂ    上折り畳み幅
Ｃ    下折り畳み幅
Ｄ    ずれ幅
Ｌ    マスク中心線
Ｔ    マスク全体幅
【図１】
0003234784.tif 000003
【図２】
0003234784.tif 000004
【図３】
0003234784.tif 000005
【図４】
0003234784.tif 000006
【図５】
0003234784.tif 000007
【図６】
0003234784.tif 000008
【図７】
0003234784.tif 000009
【図８】
0003234784.tif 000010